(57)【要約】【課題】空気熱源ヒートポンプ自体の制御方法に変更を加えずに、暖房運転に支障をもたらさずに暖房運転効率を向上する技術を提供する。【解決手段】外気温度を検知する外気温度検知部と、室外機の入口における冷媒の圧力を検知する圧力検知部と、前記室外機と室内機との間の冷媒管に設けられ、前記冷媒管を流れる冷媒と熱交換する冷媒／水熱交換器に供給される排温水が流れる配管と、前記配管に設けられ、前記冷媒／水熱交換器に供給される排温水の流量を調整する制御弁と、前記圧力検知部で検知された、前記室外機の入口における冷媒の圧力が、前記外気温度検知部で検知された外気温度から算出される外気の飽和圧力よりも高くなるように前記制御弁を制御する制御部と、を備える。【選択図】図２
2015059686.tif 000002
【特許請求の範囲】
【請求項１】
外気温度を検知する外気温度検知部と、
室外機の入口における冷媒の圧力を検知する圧力検知部と、
前記室外機と室内機との間の冷媒管に設けられ、冷媒管を流れる冷媒と熱交換する冷媒／水熱交換器に供給される排温水が流れる配管と、
前記配管に設けられ、前記冷媒／水熱交換器に供給される排温水の流量を調整する制御弁と、
前記圧力検知部で検知された、前記室外機の入口における冷媒の圧力が、前記外気温度検知部で検知された外気温度から算出される外気の飽和圧力よりも高くなるように前記制御弁を制御する制御部と、を備える空気熱源ヒートポンプ。
【請求項２】
外気と熱交換する外気用熱交換器を含む前記室外機と、
室内空気と熱交換する室内用熱交換器を含む前記室内機と、
前記室外機と前記室内機と接続され、冷媒が流れる冷媒管と、
前記室外機と前記室内機との間の冷媒管に設けられ、前記冷媒管を流れる冷媒と熱交換する前記冷媒／水熱交換器と、を更に備え、
暖房運転時、前記冷媒／水熱交換器には、５０〜９０℃の排温水が供給される、請求項１に記載の空気熱源ヒートポンプ。
【請求項３】
冷房運転時、前記冷媒／水熱交換器には、排温水を冷凍機に供給することで得た５〜３０℃の冷水が供給される、請求項１に記載の空気熱源ヒートポンプ。
【請求項４】
外気温度を検知し、室外機の入口における冷媒の圧力を検知し、前記室外機の入口における冷媒の圧力が、外気温度から算出される外気の飽和圧力よりも高くなるように、前記室外機と室内機との間の冷媒管に設けられ、冷媒管を流れる冷媒と熱交換する冷媒／水熱交換器に供給される排温水の流量を調整する、空調方法。
【発明の詳細な説明】
【技術分野】
【０００１】
本発明は、空気熱源ヒートポンプ、及び空調方法に関する。
【背景技術】
【０００２】
暖房運転する空気熱源ヒートポンプは、外気より低温の冷媒と外気とを蒸発器で熱交換させて熱を汲み上げる。そのため外気温度が低下すると、汲み上げる圧縮機の高低圧差（ポンプで言えば揚程）が増加して、運転効率が低下する。また外気温度が低く外気湿度が高い場合、冷媒温度が氷点下になると、蒸発器表面に外気の結露水が氷結して運転効率が極端に低下する、霜付き運転に至る場合がある。この場合は何らかの手段で霜を融かす、除霜（デフロスト）運転を間欠的に行う必要がある。
【０００３】
運転効率の低下を改善するため、図１に示すような空気熱源ヒートポンプが実用化されている。この従来の空気熱源ヒートポンプ１００は、圧縮機１０１、３方弁１０２、４方弁１０３、給湯熱交換器１０４、空気熱交換器１０５、冷温水熱交換器１０６、流量調整弁１０７を備える。そして、例えば、空気熱源ヒートポンプの暖房運転時に外部から温熱（熱源水）を供給して運転効率を向上させる。具体的には、空気熱交換用の蒸発器（空気熱交換器１０５）と水熱交換用の蒸発器（給湯熱交換器１０４、冷温水熱交換器１０６）を並列設置して、両回路を切り替えることで運転効率を向上させる。
【０００４】
また、空調機の稼働中に蓄熱できるエアコンシステム（空気熱源ヒートポンプ）として、特許文献１に記載の技術がある。特許文献１に記載の技術では、室外機と室内機を結合する液管に熱交換器を設け、冷熱源装置から熱交換器に送られる冷熱源と液管の液冷媒を熱交換させて、液冷媒を冷却、又は、加熱するように構成されている。また、冷熱源装置は、蓄熱槽を備え、蓄熱槽内の蓄熱媒体が冷却加熱手段によって、冷却、又は、加熱され、それが冷熱源として、熱交換器へ送られる。
【先行技術文献】
【特許文献】
【０００５】
【特許文献１】特開平０５−１２６４２８号公報
【発明の概要】
【発明が解決しようとする課題】
【０００６】
図１に示すような空気熱源ヒートポンプによれば、熱源水温度が外気温度並みに低くても暖房運転できる。但し、図１に示すような空気熱源ヒートポンプは、２種類の蒸発器を持つ特別なヒートポンプである必要があり、汎用性に欠けるといった問題がある。近年の電力需給逼迫とＢＣＰ（Business Continuity Plan）の観点から、事務所ビルで自家用発電機を設置するケースが増えているが、空気熱交換用の蒸発器しか持たない一般の空気熱源ヒートポンプでは、発電機排熱の利用（コ−ジェネレーション）が難しい。
【０００７】
また、特許文献１に記載の技術では、空気熱源ヒートポンプの暖房運転時に、室内機から室外機に戻る冷媒（液冷媒）を温水で加熱することにより、暖房能力が向上する。しかしながら、特許文献１に記載の技術は、夜間電力を利用した蓄熱による温熱を想定した技術であり、液冷媒の加熱量が暖房に必要な吸熱量を大幅に上回るような状況を想定したものではない。そのため、液冷媒を過剰に加熱した場合、その乾き度（ガスと液の混合比率）が高まって液管に流れる冷媒の体積が増えて圧力損失が増し、室外機の膨張弁による過熱度制御（圧縮機吸入冷媒をガス状態にするため、その温度及び蒸発温度+２〜５℃にな
るように冷媒循環量を調節する制御）がうまくいかなくなる恐れがある。
【０００８】
本発明は、上記のような条件、例えばコジェネレーションの発電機の排熱を利用して、空気熱源ヒートポンプの暖房運転条件を向上させる場合に、空気熱源ヒートポンプ自体の制御方法に変更を加えずに、暖房運転に支障をもたらさずに暖房運転効率を向上する技術を提供することを課題とする。
【課題を解決するための手段】
【０００９】
本発明は、上述した課題を解決するため、以下の手段を採用する。すなわち、本発明は、外気温度を検知する外気温度検知部と、室外機の入口における冷媒の圧力を検知する圧力検知部と、前記室外機と室内機との間の冷媒管に設けられ、冷媒管を流れる冷媒と熱交換する冷媒／水熱交換器に供給される排温水が流れる配管と、前記配管に設けられ、前記冷媒／水熱交換器に供給される排温水の流量を調整する制御弁と、前記圧力検知部で検知された、前記室外機の入口における冷媒の圧力が、前記外気温度検知部で検知された外気温度から算出される外気の飽和圧力よりも高くなるように排温水の流量前記制御弁を制御する制御部と、を備える空気熱源ヒートポンプである。
【００１０】
本発明に係る空気熱源ヒートポンプでは、例えばコジェネレーションの発電機の排熱を利用して、空気熱源ヒートポンプの暖房運転条件を向上させる場合に、空気熱源ヒートポンプ自体の制御方法に変更を加えずに、暖房運転に支障をもたらさずに暖房運転効率を向上することができる。なお、制御部は、前記圧力検知部で検知された、前記室外機の入口における冷媒の圧力が、前記外気温度検知部で検知された外気温度の飽和圧力よりも０〜２００ｋＰａ高くなるように排温水の流量を制御してもよい。その結果、膨張弁入口の冷媒の圧力が下がりすぎて過熱度制御に支障をもたらすことを回避できる。流量に代えて、排温水の温度を制御してもよい。この場合、例えば、制御弁廻りにバイパス管路を設け、還水を往水に混合する制御(ブリードイン制御)を行うことで実現できる。冷媒には、フロン系冷媒、ＣＯ2冷媒、アンモニア冷媒が例示される。
【００１１】
ここで、本発明に係る空気熱源ヒートポンプは、外気と熱交換する外気用熱交換器を含む前記室外機と、室内空気と熱交換する室内用熱交換器を含む前記室内機と、前記室外機と前記室内機と接続され、冷媒が流れる冷媒管と、前記室外機と前記室内機との間の冷媒管に設けられ、前記冷媒管を流れる冷媒と熱交換する前記冷媒／水熱交換器と、を更に備え、暖房運転時、前記冷媒／水熱交換器には、５０〜９０℃の排温水が供給されるものでもよい。
【００１２】
本発明に係る空気熱源ヒートポンプでは、暖房運転時、冷媒管の冷媒温度が、例えば、室内温度+５〜１５℃（２５〜４０℃）になっており、冷媒／水熱交換器において、５０
〜９０°の排温水によって加熱される。そのため、暖房運転に必要な吸熱を行うのに必要な圧縮機の動力が削減され、冷媒／水熱交換器が設けられていない従来技術よりも運転効率を向上することができる。また、本発明によれば、排温水の水量が空気熱源ヒートポンプの暖房運転に必要な吸熱量に対して過剰な場合でも、冷媒／水熱交換器における熱交換量を適正な範囲に抑えて室外機の膨張弁入口冷媒圧力が過度に低下することを防ぎ、過熱度制御を支障なく続けさせることが可能である。
【００１３】
ここで、本発明に係る空気熱源ヒートポンプでは、冷房運転時、前記冷媒管用熱交換器には、排温水を冷凍機に供給することで得た５〜３０℃の冷水が供給されるようにしてもよい。これにより、本発明に係る空気熱源ヒートポンプは、暖房運転時（例えば、冬季）において運転効率を向上するだけでなく、冷房運転時（例えば、夏季）においても運転効率を向上することができる。また、排温水を有効に活用することができる。
【００１４】
ここで、本発明は、上述した空気熱源ヒートポンプにおける空調方法として特定するこ
ともできる。具体的には、本発明は、外気温度を検知し、室外機の入口における冷媒の圧力を検知し、前記室外機の入口における冷媒の圧力が、外気温度から算出される外気の飽和圧力よりも高くなるように、前記室外機と室内機との間の冷媒管に設けられ、冷媒管を流れる冷媒と熱交換する冷媒／水熱交換器に供給される排温水の流量を調整する、空調方法である。
【００１５】
本発明に係る空調方法によれば、例えばコジェネレーションの発電機の排熱を利用して、空気熱源ヒートポンプの暖房運転条件を向上させる場合に、空気熱源ヒートポンプ自体の制御方法に変更を加えずに、暖房運転に支障をもたらさずに暖房運転効率を向上することができる。また、本発明によれば、排温水の水量が空気熱源ヒートポンプの暖房運転に必要な吸熱量に対して過剰な場合でも、冷媒／水熱交換器における熱交換量を適正な範囲に抑えて室外機の膨張弁入口冷媒圧力が過度に低下することを防ぎ、過熱度制御を支障なく続けさせることが可能である。なお、暖房運転時、冷媒管用熱交換器に５０〜９０℃の排温水を供給することができる。この場合、外気温度が低下した場合でも、室外機における圧力損失が抑えられるので、室外機と室内機との間の冷媒管に冷媒管用熱交換器が設けられていない従来技術よりも運転効率を向上することができる。
【発明の効果】
【００１６】
本発明によれば、空気熱源ヒートポンプ自体の制御方法に変更を加えずに、暖房運転に支障をもたらさずに暖房運転効率を向上することができる。
【図面の簡単な説明】
【００１７】
【図１】従来技術に係る空気熱源ヒートポンプの一例を示す。
【図２】実施形態に係る空気熱源ヒートポンプの暖房運転時の配管系統図を示す。
【図３】比較例に係る空気熱源ヒートポンプの暖房運転時の配管系統図を示す。
【図４】暖房運転時のｐ−ｈ線図を示す。
【図５】実施形態に係る空気熱源ヒートポンプの冷房運転時の配管系統図を示す。
【図６】比較例に係る空気熱源ヒートポンプの冷房運転時の配管系統図を示す。
【図７】冷房運転時のｐ−ｈ線図を示す。
【図８】暖房運転の運転制御例を示す。
【発明を実施するための形態】
【００１８】
次に、本発明の実施形態について図面に基づいて説明する。以下に説明する実施形態は例示にすぎず、本発明は、以下に説明する実施形態に限定されるものではない。
【００１９】
＜暖房運転＞
図２は、第一実施形態に係る空気熱源ヒートポンプの暖房運転時の配管系統図を示す。第一実施形態に係る空気熱源ヒートポンプ２００は、室外機２１０、室内機２２０、冷媒管２３０、冷媒／水熱交換器２４０、配管２５０、外気温度センサ２６０、低圧センサ２７０、水制御弁２８０、制御装置２９０を備える。
【００２０】
室外機２１０は、室外に設置され、外気と熱交換する。具体的には、室外機２１０は、膨張弁２１１、ファン２１２、蒸発器２１３、圧縮機２１４等を含む。暖房運転時、室外機２１０では、膨張弁２１１を通過して圧力低下した低温の冷媒（気液２相流冷媒：例えば、−５〜＋５℃）と外気（例えば、５℃）とが蒸発器２１３で熱交換し、冷媒が外気から熱を吸収して低圧ガスとなり、圧縮機２１４で圧縮され、高圧の高温ガス冷媒（例えば、７０〜１００℃）が室内機２２０に送られる。
【００２１】
室内機２２０は、室内空気と熱交換する。具体的には、室内機２２０は、凝縮器２２１、ファン２２２、膨張弁２２３等を含む。暖房運転時、室内機２２０では、室外機２１０
からの高温ガス冷媒（例えば、７０〜１００℃）は、凝縮器２２１で凝縮された後、高温ガス冷媒の熱が室内空気に吸収され、液冷媒（例えば、４０〜５０℃）となり、冷媒／水熱交換器２４０へ送られる。本実施形態では、室内機２２０が２機設置されているが、室内機２２０の数は１機でもよく、また、３機以上でもよい。
【００２２】
冷媒管２３０は、室外機２１０と室内機２２０と接続され、冷媒が流れる。冷媒には、フロン系冷媒、ＣＯ2冷媒、アンモニア冷媒が例示される。
【００２３】
冷媒／水熱交換器２４０（本発明の冷媒管用熱交換器に相当する。）は、室外機２１０と室内機２２０との間の冷媒管２３０に設けられている。また、冷媒／水熱交換器２４０には、温水（例えば、５０〜９０℃）が流れる配管２５０が通過している。冷媒／水熱交換器２４０は、冷媒と温水とで熱交換させる。温水は、発電機の排温水や、ボイラ等を使用する工場の排温水などが望ましい。暖房運転時、室内機２２０から送られた液冷媒（例えば、４０〜５０℃）は、冷媒／水熱交換器２４０を通過することで、温水で加熱され、高圧の気液２層流冷媒（例えば、１０〜４０℃）となり、冷媒管２３０を流れることで圧力低下し、室外機２１０の膨張弁２１１に送られる。
【００２４】
配管２５０は、図示しない発電機と接続され、発電機の排熱を利用した排温水（例えば、５０〜９０℃）が流れる。
【００２５】
外気温度センサ２６０（本発明の外気温度検知部に相当する。）は、室外に設置され、外気温度を検知する。外気温度センサ２６０は、制御装置２９０と電気的に接続され、検知された外気温度は、制御装置２９０へ送られる。外気温度センサ２６０は、既存の温度センサによって構成することができる。
【００２６】
低圧センサ２７０（本発明の圧力検知部に相当する。）は、室外機２１０の入口、換言すると膨張弁２１１の上流側に設置され、室外機２１０の入口（膨張弁２１１の近傍）における冷媒の圧力を検知する。低圧センサ２７０は、制御装置２９０と電気的に接続され、検知された圧力は、制御装置２９０へ送られる。低圧センサ２７０は、既存の低圧センサによって構成することもできる。
【００２７】
水制御弁２８０は、配管２５０に設置され、冷媒／水熱交換器２４０に供給される排温水０の流量を調整する。水制御弁２８０は、例えば電磁弁によって構成され、制御装置２９０と電気的に接続され、制御装置２９０によって開度が制御される。
【００２８】
制御装置２９０は、低圧センサ２７０で検知された、室外機２１０の入口における冷媒の圧力が、外気温度センサ２６０で検知された外気温度の飽和圧力よりも０〜２００ｋＰａ高くなるように水制御弁２８０の開度を制御する。制御装置２９０は、ＣＰＵ（Central Processing Unit：中央演算処理装置）、メモリ、記憶装置等によって構成され、ＣＰ
Ｕがメモリに展開されるプログラムに従って水制御弁の開度を制御する。
【００２９】
ここで、図３は、比較例に係る空気熱源ヒートポンプの暖房運転時の配管系統図を示す。なお、本実施形態と同様の構成については、同一符号を付し、説明は割愛する。比較例に係る空気熱源ヒートポンプの暖房運転時の配管系統は、従来技術の配管系統の一例であり、冷媒／水熱交換器２４０を有しておらず、これに伴い、配管２５０、外気温度センサ２６０、低圧センサ２７０、水制御弁２８０、制御装置２９０も設けられていない。そのため、膨張弁２１１を通過した後の気液２相流冷媒は、例えば−１０℃であり、外気（例えば、５℃）との温度差（例えば１５℃）が、上述した実施形態の温度差（例えば、０〜１０℃）よりも大きくなっている。そのため、蒸発器２１３通過後のガス冷媒の温度（例えば−５℃）が、上述した実施形態におけるガス冷媒の温度（例えば、０〜５℃）よりも
低くなっている。
【００３０】
図４は、暖房運転時のｐ−ｈ線図を示す。図４において、横軸は比エンタルピ、縦軸は絶対圧力であり、実線は比較例、点線は実施形態を示す。比較例のように、一般的には、室内機２２０で凝縮した冷媒（Ｃ）は室外機２１０の膨張弁２１１で圧力低下し低圧気液二相流（Ｆ）となり、蒸発器２１３で外気から熱を吸収して低圧ガス（Ｇ）となり圧縮機２１４に吸い込まれる。これに対し、実施形態では、室内機２２０で凝縮した冷媒（Ｃ）はまず冷媒／水熱交換器２４０を通過することで温水で加熱され、高圧の気液二相流（Ｄ）となる。それから冷媒管２３０で圧力低下し（Ｅ）、更に室外機２１０の膨張弁２１１で圧力低下し低圧気液二相流（Ｆ）となる。本実施形態では、比較例に比べて蒸発器２１３の入口における冷媒（Ｆ）の比エンタルピが高いため、蒸発器２１３の冷媒温度を外気に比べてそれ程下げなくても冷媒を完全にガス化できる。そのため蒸発圧力が高くなり、圧縮機２１４出入口のエンタルピ差が小さくなって運転効率が向上する。
【００３１】
ここで、一般に液冷媒の流量で設計されている冷媒管２３０に、体積の増えた気液二相流の冷媒を流すことによる、圧力低下（Ｃ〜Ｅ間）の増加には注意が必要である。冷媒／水熱交換器２４０で過剰に冷媒を加熱すると、単に室内機の還り冷媒を加熱するだけでは、室外機２１０の膨張弁２１１入口の冷媒（Ｅ）の圧力が低下しすぎて、膨張弁２１１の過熱度制御ができなくなることが懸念される。過熱度制御とは、圧縮機入口冷媒（Ｇ）の過熱度を２〜５℃確保し、圧縮機２１４に完全なガス冷媒が戻るようにする制御であり、蒸発器２１３における外気からの吸熱で冷媒が完全にガス化できる程度に、冷媒循環量を制御するものである。実施形態では、制御装置２９０は、外気温度センサ２６０によって外気温度を検知させ、外気温度の飽和圧力を算出し、低圧センサ２７０で検知された、膨張弁２１１の入口冷媒（Ｅ）の圧力がこの値より０〜２００ｋＰａ高くなるように、温水加熱量を制御する。例えば、制御装置２９０は、冷媒／水熱交換器２４０の温水の流れにおける上流側に設けた水制御弁２８０の開度を制御する。
【００３２】
本実施形態では、比較例の空気熱源ヒートポンプ２００の暖房運転において膨張弁２１１で与える圧力損失を、冷媒管２３０における圧力損失と膨張弁２１１で与える圧力損失分割し、更にトータルの圧力損失を減らしているといえる。
【００３３】
＜冷房運転＞
上述した実施形態に係る空気熱源ヒートポンプを空冷ビル用マルチ（ビルマルともいう）に導入した場合、夏季の冷房運転時に外部からの冷水を冷媒／水熱交換器２４０に供給し、冷房運転効率を向上させることもできる。ここで、図５は、実施形態に係る空気熱源ヒートポンプの冷房運転時の配管系統図を示す。なお、暖房運転時の配管系統図と同様の構成については、同一符号を付し、説明は割愛する。
【００３４】
室外機２１０では、冷房運転時、圧縮機２１４で圧縮されたガス冷媒（例えば、６０〜９０℃）が凝縮器２１３（暖房運転時における蒸発器に相当する）で凝縮され、ガス冷媒の熱が外気（例えば、３０℃）と接して吸収され、液冷媒（例えば、４０〜４５℃）となり、冷媒／水熱交換器２４０へ送られる。
【００３５】
冷媒／水熱交換器２４０では、冷房運転時、室外機２１０から送られた液冷媒（例えば、４０〜４５℃）は、冷媒／水熱交換器２４０を通過することで、冷水で冷却された液冷媒（例えば、１０〜３５℃）となり、室内機２２０へ送られる。
【００３６】
室内機２２０では、冷房運転時、膨張弁２２３を通過して圧力低下した冷媒と室内空気とが蒸発器２２１（暖房運転時における凝縮器に相当する）で熱交換し、冷媒が室内空気から熱を吸収して低圧ガスとなり、ガス冷媒（例えば１５〜２０℃）として、室外機２１
０の圧縮機２１４へ送られる。
【００３７】
配管２５０は、図示しない冷却機と接続され、発電機の排熱を利用した排温水を例えば吸収式の冷凍機に投入して得た冷水が流れる。
【００３８】
制御装置２９０は、外気温度センサ２６０で検知された外気温度に基づいて水制御弁２８０の開度を制御する。開度の制御方法には、特開２００６−２８４０８３号公報に記載の技術を適宜用いることができる。
【００３９】
ここで、図６は、比較例に係る空気熱源ヒートポンプの冷房運転時の配管系統図を示す。なお、本実施形態と同様の構成については、同一符号を付し、説明は割愛する。比較例に係る空気熱源ヒートポンプの冷房運転時の配管系統は、従来技術の配管系統の一例であり、冷媒／水熱交換器２４０を有しておらず、これに伴い、配管２５０、外気温度センサ２６０、低圧センサ２７０、水制御弁２８０、制御装置２９０も設けられていない。そのため、室外機２１０から室内機２２０へ送られる液冷媒（例えば、１０〜３５℃）は、上述した実施形態の液冷媒（例えば、１０〜３５℃）よりも温度が高くなっている。
【００４０】
図７は、冷房運転時のｐ−ｈ線図を示す。図７において、横軸は比エンタルピ、縦軸は絶対圧力であり、実線は比較例、点線は実施形態を示す。図７に示すように、冷媒／水熱交換器２４０の冷却効果により、実施形態では室外機２１０から送られる冷媒液（Ｃ）のエンタルピが小さくなっており、運転効率が向上している。
【００４１】
＜効果＞
実施形態に係る空気熱源ヒートポンプ２００では、暖房運転時、冷媒／水熱交換器２４０に５０〜９０℃の排温水が供給される。そのため、外気温度が低下した場合でも、室外機２１０における圧力損失が抑えられるので、室外機２１０と室内機２２０との間の冷媒管２３０に冷媒／水熱交換器２４０が設けられていない従来技術（例えば、上述した比較例）よりも運転効率を向上することができる。また、冷媒／水熱交換器２４０には、５０〜９０℃の排温水が供給されるので、発電機等からの排熱の有効活用が図れ、夜間電力を利用した蓄熱による温熱を想定した従来技術よりも運転効率を向上することができる。
【００４２】
ここで、図８は暖房運転の運転制御例を示す。図８は、外気温度７℃の場合において、膨張弁２１１の入口（Ｅ点）冷媒の圧力が９９２〜１１９２ｋＰａになるように、例１と例２とで温水加熱量が異なるように、温水加熱量を制御した例である。温水加熱量を増やすこと（水制御弁２８０の開度を大きくし温水の流量を増加させること）で運転効率が向上することが想定される。また、別の試験では、例えば、空気熱源ヒートポンプ２００の必要採熱量の２／３を、外気ではなく温水から採熱した場合、蒸発温度が７〜１０℃上昇して運転効率が１４〜３０％向上することが想定される。
【００４３】
以上、本発明の好適な実施形態を説明したが、本発明に係る空気熱源ヒートポンプ２００はこれらに限らず、可能な限りこれらの組合せを含むことができる。例えば、室外機２１０の蒸発器２１３の近傍に温水コイルを設け、発電機等からの排温水を温水コイルに流して温風を発生させ、蒸発器２１３の霜の発生を抑制してもよい。
【符号の説明】
【００４４】
１００・・・従来の空気熱源ヒートポンプ
１０１・・・圧縮機
１０２・・・３方弁
１０３・・・４方弁
１０４・・・給湯熱交換器
１０５・・・空気熱交換器
１０６・・・冷温水熱交換器
１０７・・・流量調整弁
２００・・・空気熱源ヒートポンプ
２０１・・・空気熱源ヒートポンプ（比較例）
２１０・・・室外機
２１１・・・膨張弁
２１２・・・ファン
２１３・・・蒸発器（凝縮器）
２１４・・・圧縮機
２２０・・・室内機
２２１・・・凝縮器（蒸発器）
２２２・・・ファン
２２３・・・膨張弁
２３０・・・冷媒管
２４０・・・冷媒／水熱交換器
２５０・・・配管
２６０・・・外気温度センサ
２７０・・・低圧センサ
２８０・・・水制御弁
２９０・・・制御装置
【図１】
2015059686.tif 000003
【図２】
2015059686.tif 000004
【図３】
2015059686.tif 000005
【図４】
2015059686.tif 000006
【図５】
2015059686.tif 000007
【図６】
2015059686.tif 000008
【図７】
2015059686.tif 000009
【図８】
2015059686.tif 000010